(57)【要約】    【課題】降雨時あるいは降雨後に巻き上げられたシャッターを閉じる際に、シャッターカーテンから水が室内へ飛散することを防止しうる構成のシャッターを提供する。    【解決手段】シャッターカーテン３を閉じたときの突出部１１の下部傾斜面１１ａの傾斜角度αを、使用材料によって異なる水の転落角以上に形成する。これにより、水がシャッターカーテン３の表面を流下する。また、隣接するスラット７、７間を連結する上カール部８と下カール部９と間の嵌合部１０の隙間ｇを、シャッターカーテンの表面に付着する水を毛細管現象により嵌合部の隙間に引き込む寸法に設定する。これにより、嵌合部１０により保持される水の量が少なくなると共に、シャッターを閉じるときに嵌合部１０から水が引き出されることが防止される。【選択図】図１
2005314914.tif 000002
【特許請求の範囲】
【請求項１】
複数枚のスラットを、各スラットの上下に設けた略弧状をなすカール部同士を互いに回動可能に嵌合して連結してなるシャッターカーテンを有し、
前記シャッターカーテンを建物開口部の上部に設けたシャッターケース内の巻胴に内巻き式に巻取る構造を有し、
前記各スラットの下カール部の近傍に、スラットの曲成により室内側に突出した突出部を形成し、
シャッターカーテンを閉じたときの前記突出部の下部傾斜面の傾斜角度を、使用材料によって異なる水の転落角以上に形成したことを特徴とするシャッター。
【請求項２】
複数枚のスラットを、各スラットの上下に設けた略弧状をなすカール部同士を互いに回動可能に嵌合して連結してなるシャッターカーテンを有し、
前記シャッターカーテンを建物開口部の上部に設けたシャッターケース内の巻胴に内巻き式に巻取る構造を有し、
隣接するスラット間を連結する上カール部と下カール部との嵌合部の隙間を、シャッターを閉じたときにシャッターカーテンの表面に付着する水を毛細管現象により嵌合部の隙間に引き込む寸法に設定したことを特徴とするシャッター。
【請求項３】
複数枚のスラットを、各スラットの上下に設けた略弧状をなすカール部同士を互いに回動可能に嵌合して連結してなるシャッターカーテンを有し、
前記シャッターカーテンを建物開口部の上部に設けたシャッターケース内の巻胴に内巻き式に巻取る構造を有し、
前記各スラットの下カール部の近傍に、スラットの曲成により室内側に突出した突出部を形成し、
シャッターカーテンを閉じたときの前記突出部の下部傾斜面の傾斜角度を、使用材料によって異なる水の転落角以上に形成し、
隣接するスラット間を連結する上カール部と下カール部との嵌合部の隙間を、シャッターを閉じたときにシャッターカーテンの表面に付着する水を毛細管現象により嵌合部の隙間に引き込む寸法に設定したことを特徴とするシャッター。
【発明の詳細な説明】
【技術分野】
【０００１】
本発明は、複数枚のスラットを、各スラットの上下に設けた略弧状をなすカール部同士を互いに回動可能に嵌合して連結してなるシャッターカーテンを有し、前記シャッターカーテンを建物開口部の上部に設けたシャッターケース内の巻胴に内巻き式に巻取る構造を有するシャッターに関する。
【背景技術】
【０００２】
従来のシャッターとして、複数枚のスラットを、各スラットの上下に設けた略弧状をなすカール部同士を互いに回動可能に嵌合して連結してなるシャッターカーテンを有し、前記シャッターカーテンを建物開口部の上部に設けたシャッターケース内の巻胴に内巻き式に巻取る構造を有するものが開示されている（例えば特許文献１参照。）。ここで、内巻き式とは、シャッターケース内に設けられる巻胴の室外側でシャッターカーテンが巻き取り繰り出しされるものであり、この内巻き式のシャッターは、シャッターケースの建物からの突出幅が小さく、小型に構成できる点で有利である。
【０００３】
このようなシャッターにおいて、特許文献１に開示されたシャッターカーテンを構成するスラットは、図１（A）に示される構造を有している。すなわち、スラット２０の上下に他のスラット２０との連結部となる上カール部２１と下カール部２２とを有し、下カール部２２の近傍に、シャッターカーテンが閉じた状態で室内側となる方向に曲成させた突出部２３を有する。このような突出部２３を設けている理由は、図２（Ａ）に示すように巻胴６にシャッターカーテン２５が巻かれた状態において、上カール部２１と下カール部２２との嵌合部２６が内側のスラット２０の表面に接しないように浮かせるためである。
【０００４】
このような突出部２３が無い場合、図２（Ｂ）に示すように、前記嵌合部２６が内側のスラット２０の表面に接し、このシャッターカーテンを巻き上げまたは繰り出していくとき、巻胴６の室外側の面に接している部分で、現時点で建物開口部へ降りるかあるいは開口部から引き上げられようとしているスラットａが矢印ｒのように回動するため、嵌合部２６が内側のスラット２０の外面を擦り、その部分に傷がつく。そこで、このようなスラット２０の表面の損傷を防ぐために突出部２３が設けられて嵌合部２６を浮かしているのである。
【０００５】
なお、図３（Ａ）〜（Ｃ）に示すように、このシャッターは、障子１を装着するサッシ枠２とともに躯体に取付けられるもので、その室外側の左右両側にはシャッターカーテン２５の左右端部を上下動自在にガイドするガイドレール４が取付けられる。サッシ枠２およびガイドレール４の上部には、シャッターケース５が設置される。シャッターケース５内には、巻胴６が取付けられる。
【０００６】
【特許文献１】特開２００２−０１３３６４号公報
【発明の開示】
【発明が解決しようとする課題】
【０００７】
前記図１（A）に示すように突出部２３を有するスラットを用いた内巻き式のシャッターの場合、図３（Ａ）に示すように、シャッターカーテン２５に降雨等２７があり、シャッターカーテン２５に降雨等による水２９が付いた状態で図３（Ｂ）に示すようにシャッターカーテン２５を巻胴６に巻いてシャッターを開くと、巻いたシャッターカーテン２５に水２９が保持され、その後、シャッターを閉めると、図３（Ｃ）に示すように、シャッターカーテン２５に保持されていた水２９が室内側に飛散するという問題点があった。図３（Ｄ）はシャッターを備えたサッシ枠２の室内側端面から室内側に向けて測定した距離（０〜４００ｍｍ）に対する水２９の飛散状況を示す図である。
【０００８】
このようにシャッターを閉じる際に室内側に水が飛散する原因について本発明者等が研究した結果、図４、図５に示すメカニズムで水の保持、飛散が起きることが判明した。すなわち、まず図４（Ａ）に示すように、シャッターを閉じた状態において、シャッターカーテン２５の表面に付いた水２９がスラット２０の外面に沿って流下して突出部２３内に溜まったり、嵌合部２６の隙間に溜まる。
【０００９】
そしてシャッターカーテン２５の巻き取りに伴ない、内側のスラット２０の突出部２３や嵌合部２６に溜まっていた水滴２９が、水滴自体の重力と、シャッターカーテン２５の矢印Ｒａで示す回転に伴う遠心力により、図４（Ｂ）、（Ｃ）に示すように引き上げられる外側のスラット２０の裏面に移行する。その後、巻胴６に巻かれたシャッターカーテン２５がさらに回転することにより、巻胴６の上部に至った外側のスラット２０の水の一部が内側のスラット２０に移行したりしながら、シャッターカーテン２５に水が保持されたままで巻胴６に巻き取られる。
【００１０】
このように巻き取られたシャッターカーテン２５に保持された水２９は、図５（Ａ）、（Ｂ）、（Ｃ）等で示される種々の態様で下方に落下する。このうち、図５（Ａ）の例は、その左図に示すように外側のスラット２０の突出部２３の上に内側のスラット２０の嵌合部２６が乗った場合である。この場合は、巻胴６がシャッターの閉じ方向に回転（矢印Ｒｂで示す。）することにより、右図に示すように、外側のスラット２０の突出部２３の裏に付着している水と、内側のスラット２０の嵌合部２６の隙間にある水が引きあい、巻胴６のシャッター閉じ方向の回転により、遠心力が水に付与され、矢印ｂに示すように水を室内側に向けて飛ばす。
【００１１】
図５（Ｂ）の例は、その左図に示すように、内側のスラット２０の突出部２３の凹部に、外側のスラット２０の嵌合部２６が接する場合である。この場合は、巻胴６がシャッターの閉じ方向に回転する（矢印Ｒｂで示す。）ことにより、突出部２３内に溜まっている水を外側のスラット２０の嵌合部２６が引き出し、巻胴６の回転に伴い、遠心力が水に付与され、矢印ｃに示すように、室内側に向けて水を飛ばす。
【００１２】
図５（Ｃ）の例は、その左図に示すように、内側のスラット２０の嵌合部２６が、外側のスラット２０の裏面に接している場合である。この場合は、巻胴６がシャッターの閉じ方向に回転する（矢印Ｒｂで示す。）ことにより、内側のスラット２０の突出部２３内に溜まっている水および嵌合部２６に溜まっている水を外側のスラット２０の裏面接触部が引き出し、巻胴６の回転に伴い、遠心力が水に付与され、矢印ｄに示すように、室内側に向けて水を飛ばす。
【００１３】
このように、従来のシャッターでは、シャッターを閉じる際に、シャッターカーテン２５に保持されていた水が室内に飛散することがあるという問題点があった。
【００１４】
本発明は、上記した従来のシャッターカーテンを有する内巻き式シャッターの問題点に鑑み、降雨時あるいは降雨後に巻き上げられたシャッターを閉じる際に、シャッターカーテンから水が室内へ飛散することを防止しうる構成のシャッターを提供することを目的とする。
【課題を解決するための手段】
【００１５】
請求項１のシャッターは、複数枚のスラットを、各スラットの上下に設けた略弧状をなすカール部同士を互いに回動可能に嵌合して連結してなるシャッターカーテンを有し、
前記シャッターカーテンを建物開口部の上部に設けたシャッターケース内の巻胴に内巻き式に巻取る構造を有し、
前記各スラットの下カール部の近傍に、スラットの曲成により室内側に突出した突出部を形成し、
シャッターカーテンを閉じたときの前記突出部の下部傾斜面の傾斜角度を、使用材料によって異なる水の転落角以上に形成したことを特徴とする。
【００１６】
請求項２のシャッターは、複数枚のスラットを、各スラットの上下に設けた略弧状をなすカール部同士を互いに回動可能に嵌合して連結してなるシャッターカーテンを有し、
前記シャッターカーテンを建物開口部の上部に設けたシャッターケース内の巻胴に内巻き式に巻取る構造を有し、
隣接するスラット間を連結する上カール部と下カール部との嵌合部の隙間を、シャッターを閉じたときにシャッターカーテンの表面に付着する水を毛細管現象により嵌合部の隙間に引き込む寸法に設定したことを特徴とする。
【００１７】
請求項３のシャッターは、複数枚のスラットを、各スラットの上下に設けた略弧状をなすカール部同士を互いに回動可能に嵌合して連結してなるシャッターカーテンを有し、
前記シャッターカーテンを建物開口部の上部に設けたシャッターケース内の巻胴に内巻き式に巻取る構造を有し、
前記各スラットの下カール部の近傍に、スラットの曲成により室内側に突出した突出部を形成し、
シャッターカーテンを閉じたときの前記突出部の下部傾斜面の傾斜角度を、使用材料によって異なる水の転落角以上に形成し、
隣接するスラット間を連結する上カール部と下カール部との嵌合部の隙間を、シャッターを閉じたときにシャッターカーテンの表面に付着する水を毛細管現象により嵌合部の隙間に引き込む寸法に設定したことを特徴とする。
【発明の効果】
【００１８】
請求項１のシャッターは、シャッターカーテンを閉じたときの前記突出部の下部傾斜面の傾斜角度を、使用材料によって異なる水の転落角以上に形成したので、シャッターが閉じているときにシャッターカーテンの表面に付着する水は、突出部の表面に滞ることなく流下するので、シャッターを巻胴に巻き取っていくときにシャッターカーテンに保持される水の量が大幅に低減され、シャッターを閉じる際における室内への水の飛散量が低減される。
【００１９】
請求項２のシャッターは、上下に隣接するスラット間を連結する上カール部と下カール部との嵌合部の隙間を、シャッターカーテンの表面に付着する水を毛細管現象により嵌合部の隙間に引き込む寸法に設定したので、嵌合部に保持される水の量が少なくなる上、シャッターを閉じる際に嵌合部の隙間から引き出される水は皆無あるいは大幅に低減されるので、シャッターを閉じる際における室内への水の飛散量が低減される。
【００２０】
請求項３のシャッターは、シャッターカーテンを閉じたときの前記突出部の下部傾斜面の傾斜角度を、使用材料によって異なる水の転落角以上に形成し、かつ隣接するスラット間を連結する上カール部と下カール部との嵌合部の隙間を、シャッターカーテンの表面に付着する水を毛細管現象により嵌合部の隙間に引き込む寸法に設定したので、前記水の突出部表面における流下作用と、嵌合部における保持量低減および毛細管現象による保持力の向上とにより、シャッターを閉じる際の室内への飛散量のさらなる低減が可能となる。
【発明を実施するための最良の形態】
【００２１】
図６は本発明によるシャッターの一実施の形態を示す縦断面図である。このシャッターを含む建具の外観は、シャッターカーテン３以外については図３（Ａ）〜（Ｃ）と同じである。図６に示すように、建物開口部には、前記従来例と同様に、障子１を装着するサッシ枠２が取付けられ、その室外側の左右両側にはシャッターカーテン３の左右端部を上下動自在にガイドするガイドレール４が取付けられる。サッシ枠２およびガイドレール４の上部には、シャッターケース５が設置される。シャッターケース５内には、巻胴６が設置される。巻胴６にはシャッターカーテン３が巻き取り繰り出し可能に、内巻き式に巻かれる。
【００２２】
シャッターカーテン３は、複数枚のスラット７を連結して構成される。スラット７は、図１（Ｂ）に示すように、各スラット７の上下に設けた略弧状をなす上カール部８と下カール部９とを有し、これらを互いに回動可能に嵌合する嵌合部１０を構成し、これによりスラット７どうしを相対回動可能に連結することによってシャッターカーテン３が構成される。前記各スラット７の下カール部９の近傍に、スラット７の曲成により室内側に突出した突出部１１を形成する。そして、シャッターカーテン３を閉じたとき、すなわちシャッターカーテン３を垂直に垂下したときの前記突出部１１の下部傾斜面１１ａの傾斜角度αを、使用材料によって異なる水の転落角以上に形成する。
【００２３】
図７は前記転落角を説明する図であり、転落角θとは、傾斜面１２に水滴１３を滴下したとき、傾斜面１２に沿って水滴１３が流下し始める角度である。この転落角θは、塗装面の材質、温度等にもよるが、一般的なスラット用の材料、すなわちアルミニウム合金や鉄板（鋼板）等に塗装を施したものであればおおよそ５０度程度以上になり、下部傾斜面１１ａの傾斜角度αは、スラットの材料にアルミニウム合金を用いるか鉄板（鋼板）を用いるか、またはスラットに塗布する塗料に何を使用するか等の使用材料によって異なる水の転落角θ以上あることが必要になる。しかし下部傾斜面１１ａの傾斜角度αが９０度以上であると、突出部１１が形成されないので、下部傾斜面１１ａの傾斜角度αは９０度未満とすることが必要である。
【００２４】
また、本実施の形態においては、前記隣接するスラット７、７間を連結する上カール部８と下カール部９と間の嵌合部１０の隙間ｇ（シャッターを閉じた状態における上カール部８と下カール部９との頂部接点Ｐの真下の部分の間隔）を、毛細管現象により嵌合部の隙間に引き込む寸法に設定している。なお、水を嵌合部の隙間に引き込む隙間ｇは、シャッターが閉じた状態において、０．３０ｍｍ以下、より好ましくは０．２５ｍｍ以下、さらに好ましくは０．２０ｍｍ以下であるが、この隙間ｇがあまり狭くなると嵌合部１０の回動抵抗が大きくなり、製造も容易ではなくなるので、前記隙間ｇの寸法は０．１ｍｍ以上とすることが好ましい。
【００２５】
なお、図１（Ａ）に示す従来のスラット２０の突出部２３の傾斜面のシャッターが閉じたときの傾斜角度βは１５度程度に設定されており、また、シャッターが閉じたときの嵌合部２６の隙間Ｇは０．６ｍｍ前後に設定されている。
【００２６】
図８は従来のスラット２０と本実施の形態のスラット７の作用を対比して示す図であり、図８（Ａ）に示すように従来の突出部２３には降雨により水２９が溜まり、シャッターを開く際には、この水２９が流下しないで引き上げられるので、巻胴６に巻いた状態でもシャッターカーテン３に水が保持される。
【００２７】
一方本実施の形態の場合には、図８（Ｂ）に示すように、突出部１１の傾斜面１１ａの傾斜角度αが転落角θ以上に設定されているので、水２９は突出部１１から流下する。このため、巻胴６にシャッターカーテン３を巻いた状態における水の保持量が低減され、その分、シャッターを閉じる際の室内への水の飛散量が低減される。
【００２８】
また、従来のスラット２０の場合、図８（Ｃ）に示すように、嵌合部２６に間隙Ｇ（シャッターを閉じた状態における上カール部２１と下カール部２２との頂部接点Ｐの真下の部分の間隔）は大きく、また、水の保持能力は弱く、図５に示したようにシャッターを閉じるときに嵌合部２６に保持されている水２９が移動しやすいため、室内への水の飛散量が大きくなる。
【００２９】
一方、本実施の形態によれば、図８（Ｄ）に示すように、嵌合部１０の隙間ｇを毛細管現象により嵌合部１０の隙間に引き込む寸法に設定したので、嵌合部１０における水２９の保持量は少ないため、シャッターカーテン３を巻胴６に巻いたときの嵌合部１０における水の保持量が少なくなる上、シャッターを閉じるときに嵌合部１０に保持されている水２９が隙間に発生する毛細管現象により移動しにくくなり、したがって室内への水の飛散量が少なくなる。
【００３０】
本実施の形態においては、前記突出部１１の傾斜面１１ａの傾斜角度αを使用材料によって異なる水の転落角θ以上にし、かつ前記嵌合部１０の隙間ｇを毛細管現象によって水を嵌合部に引き込む寸法に設定したので、これら２つの構成の作用効果をともに奏することができ、シャッターカーテン３に保持される水の量を低減しうるとともに、シャッターを閉じる際の水の室内への飛散を大幅に低減あるいは皆無とすることができる。
【００３１】
本発明は、比較的遅い速度で開閉される電動式シャッターより、速い速度で開閉される手動式シャッターに適用する場合に特に有効である。
【図面の簡単な説明】
【００３２】
【図１】（Ａ）は従来のスラットを示す側面図、（Ｂ）は図６に示す本発明の一実施の形態のシャッターカーテンを構成するスラットを示す側面図である。
【図２】（Ａ）は突出部を有する従来のスラットの作用説明図、（Ｂ）は突出部を有しない従来のスラットの問題点を説明する作用説明図である。
【図３】（Ａ）は従来のシャッターとそのシャッターカーテンに降雨等している状態を示す斜視図、（Ｂ）はそのシャッターカーテンを引き上げている状態を示す側面断面図、（Ｃ）はそのシャッターを閉じる際に室内に水が飛散している状態を示す斜視図、（Ｄ）は飛散した水滴の量を建具の室内側端面からの距離に関連して示す図である。
【図４】（Ａ）、（Ｂ）、（Ｃ）は従来のシャッターカーテンにおいて、その巻き上げによりシャッターカーテンへ水が保持されることを説明する図である。
【図５】（Ａ）、（Ｂ）、（Ｃ）は従来のシャッターカーテンにおいて、シャッターカーテンに保持された水がシャッターを閉じる際に飛散するメカニズムを説明する図である。
【図６】本発明のシャッターの一実施の形態を示す縦断面図である。
【図７】転落角の説明図である。
【図８】（Ａ）、（Ｂ）は従来のスラットと本実施の形態のスラットにおける突出部の作用を対比して説明する図、（Ｃ）、（Ｄ）は従来のスラットと本実施の形態のスラットにおける嵌合部の作用を対比して説明する図である。
【符号の説明】
【００３３】
１：障子、２：サッシ枠、３：シャッターカーテン、４：ガイドレール、５：シャッターケース、６：巻胴、７：スラット、８：上カール部、９：下カール部、１０：嵌合部、１１：突出部、１１ａ：下部傾斜面、１２：傾斜面、１３：水滴、２７：降雨等、２９：水、α：傾斜角度、ｇ：隙間
【図１】
2005314914.tif 000003
【図２】
2005314914.tif 000004
【図７】
2005314914.tif 000005
【図３】
2005314914.tif 000006
【図４】
2005314914.tif 000007
【図５】
2005314914.tif 000008
【図６】
2005314914.tif 000009
【図８】
2005314914.tif 000010